(57)【要約】【課題】  装置全体の小型化を図っても、確実に固定して安全に血液測定ができる。【解決手段】  指先１５を穿刺して採血した血液の成分を検出するための血液成分検出ユニット５は、腕時計ケース１のユニット装着部４に着脱可能に装着されている。この腕時計ケース１は、時計バンド２で腕に装着する。血液成分検出ユニット５を安定させた状態で、血液成分検出ユニット５上に載置された指先１５を穿刺して採血した血液成分を検出し測定することができる。また、血液成分検出ユニット５で検出された血液成分の検出結果に基づいて血液情報を腕時計ケース１の表示パネル１１に表示できるので、短時間で血液成分を知ることができる。【選択図】        図２
2005270156.tif 000002
【特許請求の範囲】
【請求項１】
表示部およびユニット装着部が設けられた装置本体と、
この装置本体を腕に装着するためのバンドと、
上部に設けられた指載置部に載置されている指先の皮膚を穿刺して採血し、この採血した血液成分を検出する血液成分検出ユニットと、
この血液成分検出ユニットで検出された血液成分の検出結果に基づいて血液情報を前記装置本体側の前記表示部に表示させる血液情報表示制御部とを備えており、
前記装置本体の前記ユニット装着部に前記血液成分検出ユニットを着脱可能に装着したことを特徴とする腕装着型血液測定装置。
【請求項２】
表示部およびユニット装着部が設けられていると共に、このユニット装着部の近傍に操作スイッチが配置された装置本体と、
この装置本体を腕に装着するためのバンドと、
上部に設けられた指載置部に載置されている第１の指先の皮膚を穿刺して採血し、この採血した血液成分を検出する血液成分検出ユニットと、
この血液成分検出ユニットに第１の指先が押し当てられ、他の第２の指で前記装置本体の前記操作スイッチが操作された際に、前記血液成分検出ユニットを動作させ、前記血液成分検出ユニットで検出された血液成分の検出結果に基づいて血液情報を前記装置本体の前記表示部に表示させる血液情報表示制御部とを備えており、
前記装置本体の前記ユニット装着部に前記血液成分検出ユニットを着脱可能に装着したことを特徴とする腕装着型血液測定装置。
【請求項３】
前記第１の指先は、人差し指の指先であり、前記第２の指は、親指であることを特徴とする請求項１または２に記載の腕装着型血液測定装置。
【請求項４】
前記装置本体は、前記表示部に前記血液情報を表示するほかに、時刻情報を表示する時計機能部を備えていることを特徴とする請求項１または２に記載の腕装着型血液測定装置。
【請求項５】
前記装置本体は、前記表示部に前記血液情報を表示するほかに、時刻情報を表示する時計機能部と、標準時刻電波を受信しこの受信された標準時刻電波に基づいて時刻情報を修正する時刻修正機能部とを備えていることを特徴とする請求項１または２に記載の腕装着型血液測定装置。
【請求項６】
前記装置本体は、前記表示部に前記血液情報を表示するほかに、時刻情報を表示する時計機能部と、前記血液成分検出ユニットからの血液情報を記憶する記憶部と、この記憶部に記憶された血液情報を外部機器に送信する通信機能部とを備えていることを特徴とする請求項１または２に記載の腕装着型血液測定装置。
【請求項７】
前記血液成分検出ユニットは、前記装置本体の前記ユニット装着部に装着した際に、前記装置本体側に設けられている装置本体側接続端子と電気的に接続される血液成分検出ユニット側接続端子を備えていることを特徴とする請求項１または２に記載の腕装着型血液測定装置。
【発明の詳細な説明】
【技術分野】
【０００１】
この発明は、指先から血液を採取し、この採取した血液成分を検出する腕装着型血液測定装置に関し、更に詳しくは腕時計のように腕に装着して使用することのできる腕装着型血液測定装置に関する。
【背景技術】
【０００２】
例えば、血液中のブドウ糖を検出して血糖値を測定する血液測定装置においては、使用者が自分自身で容易に血糖値を測定できるようにすることが要望されている。これに応えるために、特許文献１の血液測定装置は、装置本体の表面に設けられた指当て部に指を当てがい、この指を穿刺部で穿刺して指先から血液を採取し、この採取した血液を試験紙に滲み込ませて展開させ、この展開した血液の成分を光学素子で測定し、この光学素子による血液成分の測定結果を表示部に表示させるように構成されている。
【特許文献１】特開２００２−３４９５６号公報
【発明の開示】
【発明が解決しようとする課題】
【０００３】
しかしながら、上記のような従来の血液測定装置では、指先を穿刺して血液を採取する穿刺部と、採取した血液を滲み込ませて展開させる試験紙の取付部と、試験紙に展開された血液の成分を測定する光学素子と、この光学素子による血液成分の測定結果を表示する表示部とを備え、これら全てを装置本体内に組み込んだ構成であるから、装置全体をコンパクトに構成して携帯することができても、使用するときには装置本体を固定しなければ、安定した状態で安全に且つ良好に血液を採取して血液の成分を測定することができない。
【０００４】
すなわち、この血液測定装置では、装置全体の小型化を図ると、装置本体を卓上に載置しだけでは装置本体が動き易いので、使用するときには装置本体を一方の手で固定しなければ、装置本体を安定させることができない。このため、血液を採取して血液成分を測定するときには、一方の手で装置本体を固定させた状態で、他方の手の指を装置本体に当てがって採血しなければならないため、両方の手を使用しなければならず、操作性が悪いという問題がある。特に、このような状態で採血するときには、いずれか一方の手の指で装置本体の操作スイッチをも操作しなければならず、このため、より一層、操作性が悪い。
【０００５】
この発明が解決しようとする課題は、装置全体の小型化を図っても、装置本体を確実に固定し、安定させた状態で安全に且つ良好に血液測定ができる腕装着型血液測定装置を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図８に示すように、表示部（表示パネル１１）およびユニット装着部（４）が設けられた装置本体（腕時計ケース１）と、この装置本体を腕に装着するためのバンド（時計バンド２）と、上部に設けられた指載置部（１６）に載置されている指先（１５）の皮膚を穿刺して採血し、この採血した血液成分を検出する血液成分検出ユニット（５）と、この血液成分検出ユニットで検出された血液成分の検出結果に基づいて血液情報を前記装置本体側の前記表示部に表示させる血液情報表示制御部とを備えており、
前記装置本体の前記ユニット装着部に前記血液成分検出ユニットを着脱可能に装着したことを特徴とする腕装着型血液測定装置である。
【０００８】
請求項２に記載の発明は、図１〜図８に示すように、表示部（表示パネル１１）およびユニット装着部（４）が設けられていると共に、このユニット装着部の近傍に操作スイッチ（６）が配置された装置本体（腕時計ケース１）と、この装置本体を腕に装着するためのバンド（時計バンド２）と、上部に設けられた指載置部（１６）に載置されている第１の指先（１５）の皮膚を穿刺して採血し、この採血した血液成分を検出する血液成分検出ユニット（５）と、この血液成分検出ユニットに第１の指先が押し当てられ、他の第２の指で前記装置本体の前記操作スイッチが操作された際に、前記血液成分検出ユニットを動作させ、前記血液成分検出ユニットで検出された血液成分の検出結果に基づいて血液情報を前記装置本体の前記表示部に表示させる血液情報表示制御部とを備えており、
前記装置本体の前記ユニット装着部に前記血液成分検出ユニットを着脱可能に装着したことを特徴とする腕装着型血液測定装置である。
【０００９】
請求項３に記載の発明は、図１〜図８に示すように、前記第１の指先（１５）が、人差し指の指先であり、前記第２の指（１５）が、親指であることを特徴とする請求項１または２に記載の腕装着型血液測定装置である。
【００１０】
請求項４に記載の発明は、図１〜図８に示すように、前記装置本体（腕時計ケース１）が、前記表示部（表示パネル１１）に前記血液情報を表示するほかに、時刻情報を表示する時計機能部（７ａ）を備えていることを特徴とする請求項１または２に記載の腕装着型血液測定装置である。
【００１１】
請求項５に記載の発明は、図１〜図８に示すように、前記装置本体（腕時計ケース１）が、前記表示部（表示パネル１１）に前記血液情報を表示するほかに、時刻情報を表示する時計機能部（７ａ）と、標準時刻電波を受信しこの受信された標準時刻電波に基づいて時刻情報を修正する時刻修正機能部（７ｂ）とを備えていることを特徴とする請求項１または２に記載の腕装着型血液測定装置である。
【００１２】
請求項６に記載の発明は、図１〜図８に示すように、前記装置本体（腕時計ケース１）が、前記表示部（表示パネル１１）に前記血液情報を表示するほかに、時刻情報を表示する時計機能部（７ａ）と、前記血液成分検出ユニット（５）からの血液情報を記憶する記憶部（例えば回路基板１３の記憶素子）と、この記憶部に記憶された血液情報を外部機器に送信する通信機能部（７ｂ）とを備えていることを特徴とする請求項１または２に記載の腕装着型血液測定装置である。
【００１３】
請求項７に記載の発明は、図１〜図８に示すように、前記血液成分検出ユニット（５）が、前記装置本体（腕時計ケース１）の前記ユニット装着部（４）に装着した際に、前記装置本体側に設けられている装置本体側接続端子（４ａ、４ｂ）と電気的に接続される血液成分検出ユニット側接続端子（３３ａ、３３ｂ）を備えていることを特徴とする請求項１または２に記載の腕装着型血液測定装置である。
【発明の効果】
【００１４】
請求項１に記載の発明によれば、交換可能な血液成分検出ユニットをいつでもどこにいても装置本体に着脱可能に確実かつ容易に装着することができる。このため、新しい血液成分検出ユニットを用いて、血液成分を検出し測定することができる。
また、血液成分検出ユニットを装置本体のユニット装着部に着脱可能に装着した後に、この装置本体をバンドによって腕に装着した状態で、血液成分を検出し測定することができる。このため、血液成分検出ユニットをコンパクトに構成しても、血液成分検出ユニットを腕に確実に固定し、血液成分検出ユニットを安定させた状態で、この血液成分検出ユニットによって指先の皮膚を穿刺して採血した血液成分を検出することができるので、安全で操作性が良い。
【００１５】
更に、血液成分検出ユニットで検出された血液成分の検出結果に基づいて血液情報を装置本体の表示部に表示することができるので、短時間で血液成分に基づいた血液情報を知ることができる。また、必要に応じて、使用後に血液成分検出ユニットを装置本体から取り外して消毒、洗浄することもでき、これにより衛生的で使い勝手の良いものを得ることができる。
【００１６】
請求項２に記載の発明によれば、請求項１に記載の発明と同様、交換可能な血液成分検出ユニットをいつでもどこにいても装置本体に着脱可能に確実かつ容易に装着することができる。このため、新しい血液成分検出ユニットを用いて、血液成分を検出し測定することができる。そればかりでなく、血液成分検出ユニットの近傍に操作スイッチが配置されているので、血液成分検出ユニットに指先を押し当てた状態で、他の指で装置本体の操作スイッチを容易に操作することがき、これにより安全で操作性が良い。
更に、血液成分検出ユニットに第１の指先が押し当てられ、他の第２の指で装置本体の操作スイッチが操作された際に、血液成分検出ユニットを動作させ、血液成分検出ユニットで検出された血液成分の検出結果に基づいて血液情報を装置本体の表示部に表示させることができる。
【００１７】
この場合にも、血液成分検出ユニットで検出された血液成分の検出結果に基づいて血液成分情報を装置本体の表示部に表示するので、請求項１に記載の発明と同様、短時間で血液成分に基づいて血液情報を知ることができる。また、血液成分検出ユニットが装置本体に着脱可能に装着されているので、必要に応じて、使用後に血液成分検出ユニットを装置本体から取り外して消毒、洗浄することもでき、これにより衛生的で使い勝手の良いものを得ることができる。
【００１８】
請求項３に記載の発明によれば、血液成分検出ユニットに第１の指先である人差し指の指先を押し当て、他の第２の指である親指で装置本体の操作スイッチを操作することができ、人間工学的に操作のし易い状態で、血液成分の測定を行うことができる。
【００１９】
請求項４に記載の発明によれば、装置本体側の表示部により血液情報を表示するほかに、時刻情報をも表示することができる。
【００２０】
請求項５に記載の発明によれば、装置本体側の表示部により血液情報を表示するほかに、時刻情報を表示することができるほかに、標準時刻電波を受信しこの受信された標準時刻電波に基づいて時刻情報を修正することもできる。
【００２１】
請求項６に記載の発明によれば、装置本体側の表示部により血液情報を表示するほかに、時刻情報を表示することができるばかりでなく、血液成分検出ユニットからの血液情報を記憶し、この記憶された血液情報を外部機器に送信することができる。血液情報の管理およびこれらの情報処理が容易にでき、これによっても使い勝手の良いものを得ることができる。
【００２２】
請求項７に記載の発明によれば、血液成分検出ユニットを装置本体側のユニット装着部に装着した際に、血液成分検出ユニット側接続端子を装置本体側に設けられている装置本体側接続端子と電気的に接続させることができる。
【発明を実施するための最良の形態】
【００２３】
以下、図１〜図８を参照して、この発明の腕装着型血液測定装置を腕時計に適用した実施形態について説明する。
図１はこの発明の腕時計を示した正面図、図２はその使用状態を示した斜視図、図３は図１のＡ−Ａ矢視における要部の拡大断面図である。
この腕時計は、図１〜図３に示すように、腕時計ケース１を備え、この腕時計ケース１の１２時と６時の各外端部に時計バンド２がそれぞれ取り付けられ、この時計バンド２によって腕時計ケース１が腕に着脱自在に取り付けられるように構成されている。
【００２４】
この腕時計ケース１の上部には、図１〜図３に示すように、時計ガラス３がパッキン３ａを介して装着されており、この腕時計ケース１の上部における３時側には、図１および図３に示すように、ユニット装着部４が設けられている。このユニット装着部４は、図３に示すように、上方に開口された凹部状に形成され、後述する血液成分検出ユニット５が着脱可能に装着するように構成されている。このユニット装着部４の手前側（図１では下側）に位置する腕時計ケース１の６時側の上面には、操作スイッチ６が設けられている。また、この腕時計ケース１の内部には、図３に示すように、時計モジュール７が収納されており、この腕時計ケース１の下面には、裏蓋８が防水リング８ａを介して取り付けられている。
【００２５】
時計モジュール７は、表示部である表示パネル１１を備えている時計機能部７ａおよび外部機器との間で血液情報を含む各種のデータの通信を行う通信機能部７ｂを有するものであり、図３に示すように、ハウジング１０の上部に表示パネル１１が時計ガラス３に対応して設けられ、ハウジング１０の下面にインターコネクタ１２を介して表示パネル１１が電気的に接続される回路基板１３が配置された構成になっている。表示パネル１１は、液晶表示素子やＥＬ素子（エレクトロルミネッセンス表示素子）などの平面型の表示素子からなり、時刻などの情報や後述する血液情報などの情報を選択的に表示するように構成されている。また、回路基板１３には、時計機能や通信機能、および情報を記憶するために必要な各種の電子部品１３ａ（例えば、ＬＳＩ、記憶素子、アンテナなどの電子部品）が搭載されている。
【００２６】
すなわち、この時計モジュール７は、図１および図２に示すように、表示パネル１１に時刻などの情報を表示し、且つ通信機能部７ｂによって標準時刻電波を受信して自動的に内蔵されている時刻機能部７ａにおける現在時刻を修正すると共に、パーソナルコンピュータなどの外部機器（図示せず）に後述する血液成分検出ユニット５で検出した血液情報などの情報を送信するように構成されている。なお、腕時計ケース１の９時側に位置する側面には、図１および図２に示すように、モード切替やアラーム設定などを行う各種の押釦スイッチ１４が設けられている。
【００２７】
一方、血液成分検出ユニット５は、図１および図４に示すように、腕時計ケース１のユニット装着部４に着脱可能に装着され、この状態で第１の指（この例では人差し指であるが、中指、薬指などでも良い）の指先１５が上方から押し当てられ、この押し当てられた指先１５の皮膚を穿刺して採血し、この採血した血液成分を検出するように構成されている。すなわち、この血液成分検出ユニット５は、図４に示すように、指先１５を載置する指載置部１６が設けられたユニットケース１７を備えている。なお、血液成分検出ユニット５は、この実施の形態では、一つ用意している例で説明しているが、予め多数用意されていても良い。また、血液成分検出ユニット５は、血液測定の都度、腕時計ケース１のユニット装着部４から交換するようにしても、また、予め定められている回数血液測定してから交換するようにしても良い。
【００２８】
このユニットケース１７の内部には、指載置部１６に載置された指先１５の皮膚を穿刺する穿刺部１８と、この穿刺部１８によって穿刺した指先１５から血液を採取する血液採取部１９と、この血液採取部１９で採血した血液の成分を検出する成分センサ部２０と、この成分センサ部２０で血液成分が検出された使用済みの血液を吸収して保管する血液保管部２１と、血液採取部１９および成分センサ部２０が電気的に接続されるユニット回路基板３４とを備えている。
【００２９】
穿刺部１８は、図５および図６に示すように、指先１５の表面の皮膚が接触する接触筒２２と、この接触筒２２内に移動可能に配置されたスライダ２３と、このスライダ２３に設けられて指先１５の皮膚を穿刺する穿刺針２４と、スライダ２３を押し出す方向に向けて付勢するばね機構（図示せず）とを備え、接触筒２２の先端部（図５では上端部）がユニットケース１７の指載置部１６に設けられた開口部１６ａに対応した状態で、図４に示すように、血液採取部１９の後述する減圧室２５内に配置されている。
【００３０】
すなわち、この穿刺部１８は、指先１５を指載置部１６に配置して開口部１６ａを塞いだときに、指先１５の表面の皮膚が開口部１６ａを通して接触筒２２の先端部に押し当てられ、この押し当てられた指先１５によって接触筒２２が押し下げられ、これによりばね機構のばねが圧縮されてロックされ、この状態で操作スイッチ６が操作されると、ばね機構のばねのロックが解除され、圧縮されたばね圧によってスライダ２３が押し上げられ、これにより穿刺針２４が上方に移動して指先１５の表面の皮膚を穿刺するように構成されている。
【００３１】
また、この穿刺部１８は、穿刺針２４の先端が接触筒２２の先端面とほぼ同じ位置に押し上げられて指先１５の皮膚を穿刺したときに、ストッパ部（図示せず）によってスライダ２３が停止されると共に、指先１５の皮膚を穿刺した穿刺針２４がばね機構のばねの減衰振動によって指先１５の皮膚から離れ、この状態で指先１５の皮膚から血液を滲出させるように構成されている。なお、この穿刺部１８は、再度、指先１５の皮膚を穿刺する場合、指先１５を指載置部１６から一旦離し、再び指先１５を指載置部１６に配置して接触筒２２の先端部に押し当てれば、上記と同様、ばね機構のばねが圧縮されてロックされ、これにより穿刺針２４による穿刺の準備がなされるように構成されている。
【００３２】
血液採取部１９は、穿刺部１８を収納する減圧室２５と、この減圧室２５内を減圧状態にする減圧ポンプ２６とからなり、穿刺部１８によって穿刺した指先１５から血液を採取するように構成されている。この場合、減圧ポンプ２６は、ピエゾ素子などの圧電素子を用い、この圧電素子の振動を利用して、減圧室２５内を減圧させるように構成されている。これにより、血液採取部１９は、減圧ポンプ２６によって減圧室２５内が減圧されることにより、指先１５の皮膚から血液を滲出し易くして減圧室２５内に取り込むように構成されている。この場合、減圧室２５には、採取した血液が流れ込む血液流路２７が設けられている。
【００３３】
この血液流路２７内には、減圧室２５側から順に、逆流防止弁２８、マイクロチャネル２９、および成分センサ部２０が設けられている。逆流防止弁２８は、減圧室２５と血液流路２７との境界部分に設けられて、減圧室２５内から血液流路２７内に送り込まれた血液が逆流するのを防ぐように構成されている。マイクロチャネル２９は、逆流防止弁２８を介して血液流路２７に送り込まれた血液成分に必要な試薬を混合し、成分センサ部２０側へ血液を輸送するように構成されている。
【００３４】
成分センサ部２０は、図４に示すように、血液中のブドウ糖を検出する血糖値センサ３０と、血液中の酸素を検出する酸素飽和度センサ３１と、血液中のＣａ、Ｋ、Ｎａ、ｐＨ（ペーハー）などを検出するイオン濃度センサ３２とを備えているが、これらセンサ３０〜３２に限られず、更に別なセンサーを設けても良い。また、血糖値センサ３０のみを設けるようにしても良い。
【００３５】
血液保管部２１は、図４に示すように、ユニットケース１７に着脱可能に装着され、成分センサ部２０で検査された使用済みの血液が血液流路２７から流れ込み、この流れ込んだ使用済みの血液を吸収して保管するように構成されている。この場合、血液保管部２１は、一回の血液測定の都度、交換できるように構成されている。なお、血液保管部２１は、予め、複数個、用意され、血液測定を所定回数行ったときに交換できるように構成されていても良い。また、この血液成分検出ユニット５は、ユニットケース１７の下面に血液成分検出ユニット側接続端子である駆動用接続電極３３ａとデータ用接続電極３３ｂとがユニットケース１７内のユニット回路基板３４と電気的に接続されて設けられ、ユニットケース１７が腕時計ケース１のユニット装着部４に装着されたときに、ユニット装着部４内の装置本体側接続端子である各接続電極４a、４ｂと電気的に接続され、これによりユニット回路基板３４が腕時計ケース１内の回路基板１３と電気的に接続されるように構成されている。
【００３６】
次に、この血液成分検出ユニット５の回路構成について、図７に示されたブロック図を参照して説明する。この血液成分検出ユニット５は、ユニット全体の動作を制御するＣＰＵなどの制御部３５と、減圧ポンプ２６を駆動するポンプ駆動回路３６と、マイクロチャネル２９を駆動するチャネル駆動回路３７と、成分センサ部２０を駆動するセンサ駆動回路３８と、成分センサ部２０で検出された検出結果に基づいて演算処理をする測定部３９とを備え、腕時計ケース１に設けられた操作スイッチ６のスイッチ操作に応じて制御部３５が減圧ポンプ２６、マイクロチャネル２９、成分センサ部２０、および測定部３９を動作させ、これにより測定部３９で得られた血液測定情報を腕時計ケース１の電子回路に出力するように構成されている。なお、血液成分検出ユニット５が、予め多数用意されている場合は、それぞれにＩＤ情報（識別情報）を記憶しておき、腕時計ケース１に血液成分検出ユニット５が装着された際に、内蔵されたＩＤ情報（識別情報）を腕時計ケース１側で読み取り、読み取ったＩＤ情報（識別情報）に応じて、血液成分検出の測定方法や検出結果の値の表示形態などを変えるようにしても良い。
【００３７】
次に、この血液成分検出ユニット５の動作フローについて、図８を参照して説明する。
この場合には、予め、血液成分検出ユニット５を腕時計ケース１のユニット装着部４に装着し、この腕時計ケース１を時計バンド２で腕に装着して固定する。この状態で、ユニットケース１７の指載置部１６に指先１５を押し当て、この指先１５によって穿刺部１８の先端部を押し込むことにより、穿刺部１８のばね機構（図示せず）のばねが圧縮されてロックされる。そして、腕時計ケース１の操作スイッチ６をスイッチ操作すると、血液成分検出ユニット５が動作を開始する。
【００３８】
このときには、操作スイッチ６のスイッチ操作によって穿刺部１８のばね機構のロックが解除されるので、このばね機構のばね圧によって穿刺部１８のスライダ２３が押し上げられて穿刺針２４が接触筒２２内から押し出され、これにより穿刺針２４が指先１５の表面の皮膚を穿刺する（ステップＳ１）。そして、この穿刺針２４がばね機構のばねの減衰振動によって指先１５の皮膚から離れると、指先１５の皮膚から血液が滲出する。
【００３９】
このように指先１５から血液が滲出すると、血液採取部１９の減圧ポンプ２６が動作して穿刺部１８を含む減圧室２５内を減圧し、穿刺部１８で穿刺された指先１５の皮膚から血液を採取し易くして減圧室２５内に取り込む（ステップＳ２）。そして、減圧室２５内に取り込まれた血液が逆流防止弁２８を通して血液流路２７に流れ込むと、マイクロチャネル２９の部分を通過した血液は、血液流路２７を通って、センサー３１、３２、３３側へ送り込まれる。このときに、血液が採取されたかを判断し（ステップＳ３）、血液がセンサー３１、３２、３３に送り込まれていなければ、ステップＳ２に戻って上記動作を繰り返す。
【００４０】
また、マイクロチャネル２９を通ってセンサー３０，３１，３２へ血液が送り込まれると、ステップＳ３で血液採取が行われたと判断され、減圧ポンプ２６を停止し（ステップＳ６）、減圧状態を解除して穿刺部１８および減圧室２５を大気圧に復帰させる（ステップＳ７）。このときには、ユニットケース１７の指載置部１６に載置された指先１５に吸引感がなくなるので、指先１５を指載置部１６から離すことができる。この後、血液流路２７内の成分センサ部２０によって血液の成分を検出する（ステップＳ８）。すなわち、成分センサ部２０の血糖値センサ３０で血液中のブドウ糖を検出し、酸素飽和度センサ３１で血液中の酸素を検出し、イオン濃度センサ３２で血液中のＣａ、Ｋ、Ｎａ、ｐＨなどのイオンを検出し、これらの検出結果に基づいて測定部３９で血糖値、酸素飽和度、イオン濃度、ペーハーを測定する。
【００４１】
そして、測定部３９で測定された血糖値、酸素飽和度、イオン濃度などの血液情報を腕時計ケース１の表示パネル１１に表示させる（ステップＳ９）。このときには、測定部３９で測定された血糖値、酸素飽和度、イオン濃度などの血液情報を腕時計ケース１内の回路基板１３に設けられた記憶素子（図示せず）に記憶する。この後、成分センサ部２０で検査された使用済みの血液が血液保管部２１に送り込まれ、この血液保管部２１に保管され、このフローを終了する。なお、記憶素子に記憶された血糖値、酸素飽和度、イオン濃度などの血液情報は、腕時計ケース１内の通信機能によってパーソナルコンピュータなどの外部機器に送信される。これにより、外部機器で血液情報の管理およびこれらの情報処理が行われる。なお、表示パネル１１へは、このほかに、血液成分の測定プロセスの進行状態（たとえば、測定エラー表示、測定合格表示、測定例）を表示させるようにしても良い。
【００４２】
このように、この腕時計によれば、指先１５の皮膚を穿刺して採血した血液成分を検出する血液成分検出ユニット５を腕時計ケース１のユニット装着部４に着脱可能に装着し、この腕時計ケース１を時計バンド２で腕に装着することができるので、血液成分検出ユニット５をコンパクトに構成しても、その血液成分検出ユニット５を腕に確実に固定することができる。このため、血液成分検出ユニット５を安定させた状態で、この血液成分検出ユニット５によって指先１５の皮膚を穿刺して採血した血液成分を検出することができるので、安全で操作性が良い。
【００４３】
この場合、血液成分検出ユニット５の近傍に操作スイッチ６が配置されているので、図２に示すように、例えば人さし指の指先１５を血液成分検出ユニット５の指載置部１６に押し当てた状態で、その手の他の指、例えば親指で腕時計ケース１の操作スイッチ６を容易に操作することがき、これによっても操作性が良い。また、血液成分検出ユニット５で検出された血液成分の検出結果に基づいて血糖値、酸素飽和度、イオン濃度などの血液情報を腕時計ケース１の表示パネル１１に表示することができるので、短時間で血液成分に基づいた血液情報を知ることができる。
【００４４】
特に、この血液成分検出ユニット５は腕時計ケース１のユニット装着部４に着脱可能に装着されていることにより、使用後に血液成分検出ユニット５を腕時計ケース１のユニット装着部４から取り外して消毒、洗浄することができる。このため、衛生的であるばかりか、血液成分検出ユニット５を複数回、繰り返して使用することができるので、経済的で使い勝手の良いものを得ることができる。
【００４５】
また、血液成分検出ユニット５は、ユニットケース１７の指載置部１６に指先１５を押し当てた状態で操作スイッチ６を操作すると、穿刺部１８が指先１５の皮膚を穿刺すると共に、制御部３５が血液採取部１９および成分センサ部２０を動作させ、これにより血液採取部１９が指先から血液を確実に採取し、この採取した血液の成分を成分センサ部２０で検出するので、血液成分検出ユニット５をコンパクトに構成しても、指先１５から血液を確実に採取して正確に血液成分を検出することができる。この場合、血液採取部１９は、穿刺部１８を収納する減圧室２５内を減圧ポンプ２６によって減圧状態にするので、穿刺部１８によって穿刺した指先１５から血液を採取し易くすることができ、これにより指先１５から血液を確実に採取することができる。
【００４６】
また、この血液成分検出ユニット５は、成分センサ部２０側から血液採取部１９内への血液の逆流を防ぐ逆流防止弁２８と、成分センサ部２０で血液成分が検出された使用済みの血液を吸収して保管する血液保管部２１とを備えていることにより、減圧室２５内を減圧させても、成分センサ部２０に送り込まれた血液が減圧室２５内に逆流するのを防ぐことができると共に、成分センサ部２０で検査された使用済みの血液を血液保管部２１で吸収して確実に保管することができ、これにより採取したばかりの血液と検査済の血液とが混ざり合うことがなく、衛生的で、しかも採取したばかりの血液成分を検査することができるので、血液成分を正確に検出することができる。
【００４７】
この場合、成分センサ部２０は、血液中のブドウ糖を検出する血糖値センサ３０と、血液中の酸素を検出する酸素飽和度センサ３１と、血液中のイオンを検出するイオン濃度センサ３２とを備えていることにより、血糖値センサ３０によって血糖値を検出することができるほか、酸素飽和度センサ３１によって血液の酸素飽和度を検出することができると共に、イオン濃度センサ３２によって血液中のイオン濃度やペーハーなどをも検出することができ、これにより様々な血液成分の検出を一回の検査で行うことができる。
【００４８】
さらに、この腕時計では、腕時計ケース１が、表示パネル１１に時刻情報を表示する時計機能と、血液成分検出ユニット５からの血液情報を記憶する記憶素子（図示せず）と、標準時刻電波を受信すると共に腕時計ケース１の記憶素子に記憶された血液情報をパーソナルコンピュータなどの外部機器に送信する通信機能とを備えているので、血液成分を検出した日時を時計機能によって正確に記録することができると共に、記憶素子に記憶された血液情報を通信機能によってパーソナルコンピュータなどの外部機器に送信することができ、これにより血液情報の管理およびこれらの情報処理が容易にでき、これによっても使い勝手の良いものを得ることができる。
【００４９】
なお、上記実施形態では、腕装着型血液測定装置として、腕時計に適用した場合について述べたが、必ずしも腕時計である必要はなく、腕に装着することのできる腕装着型電子機器にも適用することができる。
また、この実施の形態では、血液成分検出ユニット５内に成分センサ部２０、および測定部３９を設けた例で説明したが、血液成分検出ユニット５側に成分センサ部２０の電極のみを設け、他方、腕時計ケース１側に成分センサ部２０、測定部３９等を設けるようにしても良い。
【図面の簡単な説明】
【００５０】
【図１】この発明を適用した腕時計の正面図である。
【図２】図１の腕時計の使用状態を示した斜視図である。
【図３】図１のＡ−Ａ矢視における要部の拡大断面図である。
【図４】図１の血液成分検出ユニットを概念的に示した拡大断面図である。
【図５】図４の穿刺部を示した拡大断面図である。
【図６】図５の穿刺部で指先を穿刺した状態の拡大断面図である。
【図７】図４の血液成分検出ユニットの回路構成を示したブロック図である。
【図８】図４および図７の血液成分検出ユニットの動作フローを示した図である。
【符号の説明】
【００５１】
１  腕時計ケース
２  時計バンド
３  時計ガラス
４  ユニット装着部
５  血液成分検出ユニット
６  操作スイッチ
７  時計モジュール
７ａ  時計機能部
７ｂ  通信機能部
１１  表示パネル
１３  回路基板
１５  指先
１６  指載置部
１７  ユニットケース
１８  穿刺部
１９  血液採取部
２０  成分センサ部
２１  血液保管部
２５  減圧室
２６  減圧ポンプ
２７  血液流路
２８  逆流防止弁
２９  マイクロチャネル
３０  血糖値センサ
３１  酸素飽和度センサ
３２  イオン濃度センサ
３４  ユニット回路基板
３５  制御部
３９  測定部
【図１】
2005270156.tif 000003
【図２】
2005270156.tif 000004
【図３】
2005270156.tif 000005
【図４】
2005270156.tif 000006
【図５】
2005270156.tif 000007
【図６】
2005270156.tif 000008
【図７】
2005270156.tif 000009
【図８】
2005270156.tif 000010